(57)【要約】分注ノズルが起動されると材料を分注する分注容器のための衛生順守モニターは、可撓性主要区分が分注容器に取り外し可能に取り付けられることを可能にするように、分注ノズルが貫通して延長する受容開口を有する、可撓性主要区分を含む。分注ノズルを内部で取り外し可能に保持するように構成される取り付けスリーブによって終端される第２の区分が、主要区分から延長する。磁石などのトークンが、取り付けスリーブによって担持され、かつ主要区分によって担持されるセンサーによって検出される。従って、分注ノズルが材料を分注するために起動されると、センサーは、トークンの存在及び不在を検出し、分注ノズルの起動の回数を表す表示装置に提示されるカウント値を適宜更新する。【選択図】図１
2014534833.tif 000002
【特許請求の範囲】
【請求項１】
分注ノズルの起動時に前記分注ノズルを介して材料を分注するポンプを有している分注容器に取り付けられる衛生順守モニターにおいて、
前記分注ノズルを貫通して受容するように適合された、貫通配置された受容開口を有する長尺の第１の可撓性区分であって、前記第１の可撓性区分を前記分注容器に対して保持するために取り外し可能に一緒に連結されるように構成される第１及び第２の端部を有する、長尺の第１の可撓性区分と、
第１及び第２の端部を有する第２の可撓性区分であって、前記第２の可撓性区分の前記第１の端部が前記第１の可撓性区分に取り付けられている、第２の可撓性区分と、
前記第２の可撓性区分の前記第２の端部に取り付けられ、前記分注容器の前記分注ノズルを取り外し可能にその内部に保持するように適合される取り付けスリーブと、
前記第１の可撓性区分によって担持されるセンサーと、
前記取り付けスリーブによって担持されるトークンであって、前記分注ノズルの起動時に前記センサーが前記トークンの存在及び不在を検出するように構成される、トークンと、
前記センサーに連結され、カウント値を維持するコントローラと、
前記コントローラに連結され、前記カウント値を表示するように構成される表示装置と、
を備え、
前記分注ノズルが前記分注容器から材料を分注するために起動されると、前記コントローラが前記トークンの存在又は不在の検出に基づいて前記カウント値を更新する、衛生順守モニター。
【請求項２】
前記コントローラに連結され、前記カウント値の獲得を可能とするために遠隔の計算デバイスと動作的通信状態にあるように適合されるデータインターフェースを更に備える、請求項１に記載の衛生順守モニター。
【請求項３】
受容スロットを有し、前記分注容器を取り外し可能にその内部に保持するように適合される筐体をさらに備え、
前記受容スロットが、前記第１の可撓性区分を前記筐体に取り付けるために、前記第１の可撓性区分の少なくとも一部分を貫通して受容するように寸法決めされる、請求項１に記載の衛生順守モニター。
【請求項４】
前記筐体が更に、
受容スロットを含む基部と、
前記基部に取り付けられ、前記分注容器を取り外し可能に内部に保持するための受容空洞を形成するように相隔たっている第１及び第２の保持アームと、
前記第１及び第２の保持アームのうちの少なくとも一方に取り付けられるハンガーと、
を備える、請求項３に記載の衛生順守モニター。
【請求項５】
前記トークンが磁石を備える、請求項１に記載の衛生順守モニター。
【請求項６】
前記トークンがデータタグを備える、請求項１に記載の衛生順守モニター。
【請求項７】
分注ノズルの起動時に分注容器に取り付けられるカラーと相対的に移動して材料を分注する前記分注ノズルを有している前記分注容器に取り付けられる衛生順守モニターにおいて、
筐体と、
各々の端部で取り付けクリップによって終端されている第１の可撓性区分であって、前記クリップの一方が前記分注ノズルに取り付けられるように適合され、前記クリップの他方が前記分注容器の前記カラーに取り付けられるように適合される、第１の可撓性区分と、
前記第１の可撓性区分から、前記筐体に取り付けられる第１の端部まで延長する第２の可撓性区分と、
前記第１の可撓性区分によって担持されるトークンと、
前記コントローラに連結され、前記トークンを検出するように構成され、且つ、前記分注ノズルの起動時に前記トークンの存在及び不在を検出するように前記第１の可撓性区分によって担持されるセンサーと、
前記筐体によって担持され、カウント値を維持するように構成されるコントローラと、
前記コントローラに連結され、前記カウント値を表示するように構成される表示装置と、
を備え、
前記分注ノズルが前記分注容器から材料を分注するために起動されると、前記コントローラが前記トークンの存在又は不在の検出に基づいて前記カウント値を更新する、衛生順守モニター。
【請求項８】
前記コントローラに連結され、前記カウント値の獲得を可能とするために遠隔のデバイスと動作的通信状態にあるように適合されるデータインターフェースを更に備える、請求項７に記載の衛生順守モニター。
【請求項９】
前記トークンが磁石を備える、請求項７に記載の衛生順守モニター。
【請求項１０】
前記トークンがデータタグを備える、請求項７に記載の衛生順守モニター。
【請求項１１】
前記筐体が前記分注容器を取り外し可能に保持するように適合される、請求項７に記載の衛生順守モニター。
【請求項１２】
分注ノズルの起動時に分注容器に取り付けられるカラーと相対的に移動して材料を分注する前記分注ノズルを有している前記分注容器のための衛生順守モニターにおいて、
筐体と、
前記筐体によって担持され、カウント値を維持するコントローラと、
前記コントローラに連結されるスイッチと、
前記コントローラに連結され、前記カウント値を表示するように構成される表示装置と、
前記筐体によって枢動可能に保持され、前記スイッチと動作係合状態にある起動アームであって、前記分注容器の前記分注ノズルと動作係合状態に置かれるように構成される、起動アームと、
を備え、
材料を分注するために前記分注ノズルの起動時に前記起動アームが枢動されると、前記起動アームが前記スイッチを切り替えて前記カウント値を更新する、衛生順守モニター。
【請求項１３】
前記起動アームが、
前記筐体によって枢動可能に担持され、前記スイッチと動作係合状態にあるように構成される支持区分と、
前記支持区分から延長する延長区分と、
前記延長区分から延長し、前記分注容器の前記分注ノズルと動作係合状態に置かれるように構成される係合区分と、
を備える、請求項１２に記載の衛生順守モニター。
【請求項１４】
前記係合区分から延長し、前記分注ノズルの各々のそれぞれの側部に隣接するように相隔たっている第１及び第２の保持タブを更に備える、請求項１３に記載の衛生順守モニター。
【請求項１５】
前記係合区分が前記分注容器の前記分注ノズルと選択的に動作係合状態に置かれることを可能とするために、前記延長区分が前記支持区分と相対的に枢動するように構成される、請求項１３に記載の衛生順守モニター。
【請求項１６】
前記コントローラに連結され、前記カウント値の獲得を可能とするために遠隔の計算デバイスと動作的通信状態にあるように適合されるデータインターフェースを更に備える、請求項１２に記載の衛生順守モニター。
【請求項１７】
前記筐体から延長し、前記分注容器の前記カラーを取り外し可能に保持するように適合される第１及び第２の相隔たった保持アームを更に備える、請求項１２に記載の衛生順守モニター。
【請求項１８】
前記筐体が、前記分注容器の少なくとも一部を内部に担持するように適合される基部開口を含む、請求項１２に記載の衛生順守モニター。
【発明の詳細な説明】
【技術分野】
【０００１】
本発明は、概して、石鹸などの材料を分注する分注容器に関する。具体的には、本発明は、欠失可能な又は詰め替え可能な容器などの分注容器用の衛生順守モニターに関する。より具体的には、本発明は、分注容器で実施された衛生事象の数を特定するために、表示装置となる衛生順守モニターに関する。
【背景技術】
【０００２】
最近、大衆は、疾病及びその伝播にますます関心を持つようになってきており、このため、一般的に、洗浄及び衛生の重要性がますます認識されている。例えば、外食産業における大腸菌、小学校におけるライノウイルス及び保健施設内での院内疾病の伝播に関して、多くの研究で、疾病の伝播を予防する効果的な対策として手指の衛生が言及されている。これに応じて、健康業界、外食業界ならびにホテル及び旅行の業界は、その人員が、疾病の伝播の予防に効果的である手指清浄化という習慣を持つことを保証するために、その慣習及び手順を検査することを余儀なくされている。
【０００３】
これに応じて、個人が石鹸及び清浄薬を入手する十分な機会を提供する努力として、多くの機関及び業界が、個人がその手指を清浄化及び／又は洗浄し易くするために、清浄薬及び／又は石鹸の欠失可能な又は詰め替え可能な（再使用可能な）分注容器を多く提供している。また、このような分注容器が利用可能であることによって、個人がその手指を洗浄及び／又は清浄化する機会が増している一方では、所定の手指洗浄衛生基準の順守が未だ欠けている。しかしながら、手指の洗浄及び清浄化によってバクテリア及び／又はウイルスの潜在的伝播を最小化するために、衛生基準に対する完全な順守が必須であるが、なぜなら、一人の個人が自分の手指を適切に清浄化し損なうだけで、このような個人と接触する他者の努力が無効となりかねないからである。不運にも、所定の衛生基準の順守を保証するためには、ユーザの衛生順守を追跡するように構成された現行の衛生順守監視システムでは、１つ以上の永久設置式の又は取り付け式の石鹸／清浄薬分注器が必要である。不運にも、このような永久設置式の分注器は、値段が高く、一般的には、管理するのに特殊な訓練が必要である。その上、このような永久設置式の分注器が提供する衛生順守監視機能を各々の欠失可能な又は詰め替え式の分注容器に組み込むことは、さもなければ安価な分注容器を製造できるメーカーにとってかなりのコスト増となる。従って、このような高価な分注容器が広く使用されても、その効用が限られ、好ましくないことになる。
【発明の概要】
【発明が解決しようとする課題】
【０００４】
従って、詰め替え可能もしくは欠失可能な分注容器又は他の携帯式分注容器などの分注容器に取り外し可能に取り付けられるように構成された衛生順守モニターに対する必要が存在する。加えて、分注容器用の電源内蔵式衛生順守モニターに対する必要が存在する。さらにその上、低コストの分注容器用の衛生順守モニターに対する必要が存在する。
【課題を解決するための手段】
【０００５】
前述に鑑みて、本発明の１つの態様は、分注容器用の衛生順守モニターを提供することになる。
【０００６】
本発明の別の態様は、そこから液体材料を分注するノズルを有する分注容器用の衛生順守モニターを提供することである。この順守モニターは、互いに対して取り外し可能に取り付けられるように構成される対向する端部を有する長尺の主要区分を含む。受容開口が、分注容器のノズルを貫通して受容するように主要区分を貫通して配置されている。順守モニターはまた、主要区分によって担持され、かつセンサー及び表示装置に連結されるコントローラを含む。分注容器のノズルを受容するように適合されたスリーブを含む二次区分が、主要区分から延長している。このスリーブはまた、磁石を担持し、そのため、ノズルが起動される際に、磁石の存在及び不在がセンサーによって検出されて、コントローラでカウント値が更新されると、表示装置上で提示される。
【図面の簡単な説明】
【０００７】
【図１】取り付けスリーブによって担持される磁石が、本発明の概念による磁石センサーによって検出される分注容器のための衛生順守モニターの斜視図である。
【図２】本発明の概念による衛生順守モニターの頂部平面図である。
【図３】本発明の概念による衛生順守モニターの底部平面図である。
【図４Ａ】本発明の概念による衛生順守モニターで利用される分注容器及びリテーナの斜視図である。
【図４Ｂ】取り付けスリーブによって担持される磁石が本発明の概念による磁石センサーでは感知されない、分注容器及びリテーナに取り付けられた衛生順守モニターの斜視図である。
【図４Ｃ】取り付けスリーブによって担持される磁石が本発明の概念による磁石センサーで感知されることを示す衛生順守モニターの斜視図である。
【図５】本発明の概念による、衛生順守モニターの代替実施形態の斜視図である。
【図６Ａ】本発明の概念による、磁石及び磁石センサーを自身上に配置して有する感知区分を示す代替例の衛生順守モニターの斜視図である。
【図６Ｂ】本発明の概念による、磁石が磁石センサーによって検出されないことを示す分注容器の分注ノズルに取り付けられる代替例の衛生順守モニターの感知区分の立面図である。
【図６Ｃ】本発明の概念による、磁石が磁石センサーによって検出されることを示す分注容器の分注ノズルに取り付けられる代替例の衛生順守モニターの感知区分の立面図である。
【図７】本発明の概念による分注容器及びリテーナに取り付けられる代替例の衛生順守モニターの斜視図である。
【図８】本発明の概念による、枢動起動アームを利用する代替例の衛生順守モニターの斜視図である。
【図９】本発明の概念による代替例の衛生順守モニターの分解図である。
【図１０】本発明の概念による衛生順守モニターによって提供される起動筐体のベースプレートの斜視図である。
【図１１】本発明の概念によるベースプレートに取り付けられるように構成されたアクセスプレートの正面斜視図である。
【図１２】本発明の概念によるアクセスプレートの後面斜視図である。
【図１３】本発明の概念によるアクセスプレート及び起動アームの内部表面の立面図である。
【図１４】本発明の概念による起動筐体及び起動アームの断面図である。
【図１５】本発明の概念による、分注容器を内部に取り付けて有する代替例の衛生順守モニターの斜視図である。
【図１６】本発明の概念による分注容器によって提供されるノズルと動作的係合状態にある起動アームを持つ代替例の衛生順守モニターの斜視図である。
【図１７】本発明の概念による分注容器のノズルと動作係合状態にある起動筐体及び起動アームから取り外されたアクセスプレートを持つ衛生順守モニターの斜視図である。
【発明を実施するための形態】
【０００８】
本発明のこれら及び他の特徴ならびに長所は、以下の説明及び添付図面を参照すればよりよく理解されるであろう。
【０００９】
分注容器１０用の衛生順守モニターは、一般的に、図面の図１〜４に示すように、数値２０で参照される。図４Ａに明瞭に示す分注容器１０は、例えば、石鹸、清浄薬又は保湿剤などのなんらかの所望の液体材料を保持するベッセル３０を含む。１つの態様では、分注容器１０は、欠失可能、詰め替え可能分注容器又は携帯式容器などのなんらかの適切な容器を備え得ることを理解すべきである。ベッセル３０によって生じた空隙３４中に開口するネック３２が、ベッセル３２の１つの端部から延長している。ポンプアセンブリ５０が、カラー５４によってネック３２に対して螺合取り付けされており、起動されると、ユーザがベッセル３０から材料をポンプで汲み出して、自分の手に入れることができるようになっている。カラー５４は、基部端部５５及びこれと対向する頂部端部５６を含み、これによって、環状のカラー頸部５７が頂部端部５６から延長する。ポンプ又は分注ノズルによって提供されるノズル頸部５９の一方の端部に取り付けられるチューブ５８は、一方の端部で、カラー頸部５７を貫通して延長し、チューブ５８の他方の端部では、分注容器１０のベッセル３０の空隙３４中に担持される液体材料と流体連通するように構成されている。
【００１０】
具体的には、ポンプ又は分注ノズル６０は、実質的に平坦な係合基部７０を含み、この基部から延長するノズル端部７４が係合基部７０からノズル先端８０に向かって先細になり、かつ係合基部７０から下方に湾曲している。従って、ポンプノズル６０のノズル端部７４の先細で、かつ湾曲した形状によって、材料が分注されるときに、分注された材料を、ユーザの手に向けて下方に注ぐことが可能となる。また、カラー５４のカラー頸部５７によって螺合受容されるように構成されている螺合区分８１を含むノズル頸部５９が、ノズル基部７０から実質的に直角に延長していて、これで、ポンプノズル６０を自身に対して螺号ロックしている。分注容器１０から材料を分注するには、ポンプノズル６０を、係合基部７０を圧迫することによって押圧し、すると、液体材料が、分注容器１０の外にチューブ５８から引き出されて、ノズル端部７４のノズル先端８０から分注される。すなわち、分注容器６０は、起動されると、カラー５４と相対的に移動する。
【００１１】
図１〜４を参照すると、衛生順守モニター２０は、内部表面１１０及びこれと対向する外部表面１２０を有する長尺の主要区分１００を有する本体９０を備える。主要区分１００はまた、互いに対向する端部１３０及び１４０を含み、これによって、ロックスロット１６０が、端部１３０に配置され、かつ主要区分１００の外部表面１２０から実質的に直角に延長する複数の離間された係合タブ１７０が、端部１４０に配置される。分注容器１０のポンプアセンブリ５０を貫通して受容するように適合された受容開口２００が、主要区分１００を貫通して、その中点の周りに配置されている。従って、受容開口２００は、長尺の主要区分１００を、中間区分１９０Ａ及び１９０Ｂに分離していて、これで、中間区分１９０Ａが、端部１３０と受容開口２００との間に配置され、中間区分１９０Ｂが、端部１４０と受容開口２００との間に配置されるようになっている。
【００１２】
その自由端部２２０が取り付けスリーブ２５０で終端されている長尺の二次区分２１０が、本体９０の主要区分１００のほぼ中点から実質的に直角に延長している。取り付けスリーブ２５０は、受容端部２６０を含み、この端部は、出口端部２７０に対して実質的に対向していて、かつ出口端部２７０が受容端部２６０より小さい断面積を有するように先細っている。具体的には、取り付けスリーブ２５０は、それぞれの平行エッジ３００及び３１０ならびに３２０及び３３０と、それぞれの角度付きエッジ３４０及び３５０ならびに３６０及び３７０とを有する互いに離間した上方及び下方の台形の又は先細区分２８０及び２９０を備える。加えて、上方及び下方の台形の又は先細区分２８０及び２９０は、上方区分２８０の角度付きエッジ３４０と下方区分２９０の角度付きエッジ３６０との間を延長する内部横方向区分４００と、上方区分２８０の角度付きエッジ３５０と下方区分２９０の角度付きエッジ３７０との間を延長する外部横方向区分４１０と、によって結合されている。具体的には、内部横方向区分４００は、互いに対向する端部４１１及び４１２を風刺、一方、外部横方向区分４１０は、互いに対向する端部４１４及び４１６を有する。従って、エッジ３１０、３３０、４１２及び４１６は、スリーブ２５０の受容端部２６０を画定し、一方、エッジ３００、３２０、４１１及び４１４は、スリーブ２５０の出口端部２７０を画定する。さらにその上、取り付けスリーブ２５０の上方及び下方の台形のもしくは先細区分２８０及び２９０ならびに横方向区分４００及び４１０は、取り付けスリーブ２５０をポンプノズル６０に対して螺合的に取り付ける又は固定するためにポンプノズル６０のノズル端部７４を貫通して受容するように寸法決めされる受容空洞４５０を形成する。上方及び下方の区分２８０、２９０及び／又は横方向区分４００、４１０は、分注容器１０のノズル端部７４の湾曲した又は先細の輪郭を収容するように湾曲する又は別様に構成されることを理解すべきである。また、順守モニター２０の主要区分１００及び二次区分２１０は、シリコン、ゴム、プラスチック及び類似物などのいずれかの適切な可撓性材料から形成され得ることを理解すべきである。その上、主要区分１００は、伸縮自在の材料から形成され得るが、これによって、順守モニター２０を、様々な形状及び寸法の分注容器１０にしっかりと固定することが可能である。
【００１３】
衛生順守モニター２０の主要区分１００の中間区分１９０Ｂの内部に配置されている検出回路５００によって検出されるように構成される、図２に示すような、磁石などのトークン４６０が、取り付けスリーブ２５０の下方台形区分２９０の中に配置されている。具体的には、検出回路５００は、以下に説明する機能を実施するために必要なハードウエア及び／又はソフトウエアを含むコントローラ５２０を含む。受容開口２００に隣接する主要区分１００の中間区分１９０Ｂ中に搭載され、かつ取り付けスリーブ２５０によって担持される磁石４６０の存在及び不在を検出するように構成される、磁石センサー又はホールセンサーなどのセンサー５３０が、コントローラ５２０に連結されている。トークン４６０は、磁石や、無線ＩＣ（ＲＦＩＤ）データタグや、センサー５３０で感知可能な、例えばバーコードなどのなんらかの適切なデバイスを備え得ることを理解すべきである。従って、センサー５３０は、磁石もしくはホールセンサー、無線ＩＣ（ＲＦＩＤ）読み取り装置、バーコードスキャナ又は、トークン４６０の存在及び不在を検出するのに適切な、例えば赤外線センサー（ＩＲ）などの、なんらかの適切なセンサーを備え得る。液晶表示装置（ＬＣＤ）又は他のいずれかの適切な表示装置等の表示装置５４０はまた、以下に説明するような方法で様々な衛生順守データを提示するために、コントローラ５２０に結合される。その上、電源５６０は、検出回路５００に電力を供給するためにコントローラ５２０に連結されており、また、例えば、バッテリや光電池などのいずれかの適切な電源を備え得る。
【００１４】
順守モニター２０を利用するために、分注容器１０は、図４Ａ〜Ｃに示すように、リテーナ６００中に置かれる。リテーナ６００は、互いに対向する横方向部材６３０及び６３２によって結合される互いに対向する前方部材及び後方部材６２０及び６２２を有する基部６１０を含む格子構造を備える。間に受容スロット６５０を形成する互いに離間された一対のオフセット部材６４０及び６４２が、基部６１０の前方部材６２０から実質的に直角に延長する。離間された保持アーム６７０及び６７２を含み、基部アーム６７３から上方に延長し、かつオフセット部材６４０及び６４２に取り付けられる保持区分６６０が、オフセット部材６４０及び６４２に取り付けられる。保持アーム６７０及び６７２は、湾曲した又は分注容器１０の断面輪郭を収容するような外形をした後方アーム６８０によって結合される。取り付けフック区分７００を含む取り付けアーム又はハンガー６９０が、基部６１０及び保持区分６８０に取り付けられる。従って、取り付けフック区分７００によって、分注容器１０の存在が望まれるところで様々な構造に対するリテーナ６００の取り付けが容易となる。その上、基部６１０及び保持区分６６０は、分注容器１０をリテーナ６００に保持するために、順守モニター２０を受容スロット６５０に貫通して位置させることを可能にしながらも、分注容器１０をリテーナ６００の内部に受容して保持するように構成されている受容空洞６９２を形成するような働きをする。
【００１５】
このように、分注容器１０、順守モニター２０及びリテーナ６００の部品を説明したが、順守モニター２０の使用方法を以下に提示する。最初に、分注容器１０は、リテーナ６００の受容空洞６９２中に置かれ、同時に、ポンプアセンブリ５０のポンプノズル６０は、順守モニター２０の受容開口２００に貫通して置かれ、これによって、主要区分１００の内部表面１１０が、分注容器１０に隣接する。すなわち、順守モニター２０は分注容器１０に取り付けられ、これで、中間区分１９０Ａは、分注容器１０の後方表面６９４に近接し、また、中間区分１９０Ｂは、分注容器１０の前方表面６９４に隣接する。一旦順守モニター２０が位置付けされると、取り付けスリーブ２５０が、分注容器１０のポンプノズル６０のノズル端部７４の上に置かれてこれに固定される。すなわち、ポンプノズル６０のノズル端部７４は、取り付けスリーブ２５０の受容空洞４５０の内部に置かれ、これで、ノズル先端８０が出口端部２７０を超えて延長し、これによって、ノズル端部７４を取り付けスリーブ２５０に固定する。
【００１６】
続いて、中間区分１９０Ｂが、リテーナ６００のスロット６５０に貫通して置き、同時に、中間区分１９０Ａを、それが保持区分６６０及び基部６１０の後方部材６２２を超えて延長するように位置付けされる。次に、中間区分１９０Ｂの端部１４０が、中間区分１９０Ａのロックスロット１６０に貫通して置かれると、係合タブ１７０がスロット１６０と係合し、これによって中間区分１９０Ａと１９０Ｂを一緒にロックし、順守モニター２０を分注容器１０及びリテーナ６００に対して保持する。
【００１７】
従って、順守モニター２０が動作中に、例えば、石鹸、清浄薬又は保湿剤などの液体材料を分注容器１０から分注するために、ポンプノズル６０が押圧される。ポンプノズル６０が図４Ｂに示すその通常位置から圧縮されると、取り付けスリーブ２５０中の、例えば磁石などのトークン４６０が、図４Ｃに示すように、磁石センサー５３０の検出範囲内に来るように移動される。一旦トークン４６０の存在が検出されると、コントローラ５２０が、発生した完了した手指衛生事象の回数を表すポンプノズル６０の起動又は押圧の合計回数の更新されたカウント値を維持する内部カウンタを更新して、次に、それを表示装置５４０上に提示する。さらにその上、順守モニター２０をリテーナ６００と関連付けて使用されると説明したが、これは必須のことではないこと及び順守モニター２０は、リテーナ６００を使用することなく分注容器１０に直接に取り付けられ得ることを理解すべきである。また、分注容器１０のベッセル３０は、順守モニター２０が適合的な方法で取り付けられ得るように形成又は構成され、これでリテーナ６００を使用する必要を避けるようにし得る。
【００１８】
また、順守モニター２０及びリテーナ６００は、ベッセル３０が実質的に矩形の断面形状を有する分注容器１０上で用いるように図示されているが、順守モニター２０及びリテーナ６００は、曲線的形状、直線的形状又はこれら双方の組み合わせなどのいかなる断面形状のベッセル３０を有する分注容器１０を受け入れるように容易に修正し得ることを理解すべきである。
【００１９】
代替例の衛生順守モニターは、図面の図５〜７に示すように、数値７００で参照される。具体的には、衛生順守モニター７００は、互いに対向する内部表面及び外部表面７１２及び７１４を有する筐体７１０を備える。筐体７１０は、上方及び下方のエッジ７３０及び７３２によって結合される実質的に平行な横方向エッジ７２０及び７２２がその境界となっている。それぞれの保持チャネル７５０及び７５２によって終端されるそれぞれのアーム７４０及び７４２が、横方向エッジ７２０及び７２２に隣接する点において、筐体７１０の下方エッジ７３２から延長する。前述したように、検出回路５００のコントローラ５２０、表示装置５４０及び電源５６０が、順守モニター７００の筐体７１０の中に配置される。具体的には、表示装置５４０が、筐体７１０の外部表面７１４上に提供される。１つの態様では、筐体７１０はまた、それぞれのアーム７４０及び７４２から延長し、かつ筐体７１０の外部表面７１２から離れるように延長する支持区分７５４及び７５６を含み得る。
【００２０】
可撓性検出アセンブリ８００が、筐体７１０の下方エッジ７３２から延長する。検出アセンブリ８００は、互いに対向するエッジ８０２及び８０４ならびに互いに対向する内部表面及び外部表面８０６及び８０７を有する一次区分８０１を備える。検出アセンブリ８００はまた、互いに対向する端部８１８及び８１９ならびに互いに対向する内部表面及び外部表面８２０及び８２２を有する感知区分８１０を含む。続いて、一次区分８０１のエッジ８０４は、接着剤、熱溶接又は類似物などのいずれかの適切な固定手段を用いて、感知区分８１０のその中点の周りに取り付けられる。従って、一次区分８０１を感知区分８１０に取り付けることによって、感知区分８１０が、感知区分８１０の端部８１８と一次区分８０１との間に配置される８１０Ａで示される上方区分と、感知区分８１０の端部８１９と一次区分８０１との間に配置される８１０Ｂで示される下方区分とに分離される。さらにその上、一次区分８０１及び感知区分８１０は、可撓性プラスチック、ゴム、シリコン又は類似物等のいずれかの可撓性材料から形成される。
【００２１】
感知区分８１０は、感知区分８１０のそれぞれの端部８１８及び８１９に取り付けられる上方と下方の可撓性取り付けクリップ８３０及び８４０を備える。上方及び下方の取り付けクリップ８３０及び８４０は各々が、それぞれの環状保持開口８９０Ａ及び８９０Ｂを画定するそれぞれの受容スロット８８０Ａ及び８８０Ｂによって分離されるそれぞれの弓形の把持アーム８６０Ａ及び８６０Ｂならびに８７０Ａ及び８７０Ｂを備える。例えば磁石などのトークン４６０は、下方取り付けクリップ８４０に近接する感知区分８１０Ｂの外部表面８２２上に担持され、一方、磁石センサーなどのセンサー５３０は、上方取り付けクリップ８３０に近接する感知区分８１０Ａの外部表面８２２上に担持される。
【００２２】
具体的には、スロット８８０Ａ及び８８０Ｂによって、分注容器１０のノズルネック５９及びカラーネック５７を貫通して受容可能となり、これで、それぞれ上方及び下方のクリップ８３０及び８４０の保持開口８９０Ａ及び８９０Ｂは、図６Ａ及び６Ｂに示すように、それぞれ内部に、ノズルネック５９及びカラーネック５７のネジ込み区分８１をそれぞれ内部に受容することが可能である。さらにその上、取り付けクリップ８３０及び８４０が使用中ではない分注容器１０に取り付けられると、感知区分８１０の区分８１０Ａ及び８１０Ｂは、図６Ｂに示すように互いに離間され、これによって、磁石４６０は、磁石センサー５３０によっては検出されない。しかしながら、材料を分注するためにノズル６０を押圧すると、感知区分８１０が、区分８１０Ａ及び８１０Ｂが実質的に互いに平行となるように撓み、これによって、磁石センサー５３０が、図６Ｃに示すように磁石４６０の近傍に来ると、磁石センサー５３０は、前述したように、表示装置５４０上に提示されるカウント値をインクレメントするようにコントローラ５２０に信号を送る。
【００２３】
また、順守モニター７００は、図７に示すように、リテーナ９００に取り付けられることが意図される。具体的には、リテーナ９００は、前方保持アーム９２０Ａ及び９２０Ｂならびに後方保持アーム９３０Ａ及び９３０Ｂ（図示せず）がそこから延長する基部９１０を有する格子構造を含む。加えて、前方及び後方保持アーム９２０Ａ及び９３０Ａは、横方向アーム９４０によって結合され、前方及び後方保持アーム９２０Ｂ及び９３０Ｂは横方向アーム９５０によって結合される。アーム９２０〜９５０は、分注容器１０を内部に取り外し可能に受容するように寸法決めされる受容空洞９６０を形成するように互いに離間される。分注容器１０の存在が望まれるいずれかの所望の構造に対してリテーナ９００を取り付けることを可能とするように寸法決めされるハンガー９７０が、後方保持アーム９３０に取り付けられる。１つの態様では、後方保持アーム９３０Ａ〜９３０Ｂは、順守モニター７００のそれぞれのアーム７４０及び７４２の保持チャネル７５０及び７５２の内部に受容され、かつスナップ嵌め合い又は圧縮接続によってそれに取り付けられるように寸法決めされる。
【００２４】
更に別の実施形態では、代替例の衛生順守モニターは、図面の図８〜１７に示すように、数値１０００で参照される。衛生順守モニター１０００は、分注容器１０４０をその中に保持するため、基部開口１０２０及び保持開口１０３０を有する保持基部１０１０を備える。分注容器１０４０は、手起動式ポンプ１０６０がそこから延長する頸部カラー１０５０を有するベッセル１０４１を含む。ポンプ１０６０は、頸部カラー１０５０を貫通して延長するストロー１０６２と、そこから実質的に直角に延長する長尺の分注ノズル１０７０と、を含む。分注容器１０４０は、ポンプ１０６０が起動されると、石鹸、清浄薬、保湿剤又は類似物などのいずれかの適切な材料を分注ノズル１０７０から分注するように構成される。さらにその上、分注容器１０４０は手起動式ポンプ１０６０と共に図示されているが、ポンプ１０６０は、スイッチ／ボタンの起動時、又はユーザの手の存在が検出されると、動作的に係合される自動システムとして構成され得ることを理解すべきである。すなわち、分注ノズル１０７０は、起動されると、カラー１０５０に対して相対的に移動する。
【００２５】
順守モニター１０００の保持基部１０１０はまた、起動筐体１１００を含む。起動筐体１１００は、いずれかの適切な留め具を介して結合される基部プレート１１２０及びアクセスプレート１１３０を備える。基部プレート１１２０は、図９〜１０に示すが、互いに対向する内部及び外部の表面１１５０及び１１６０を含む。凹状基部ピボット表面１１７０が、基部プレート１１２０の内部表面１１５０上に提供され、一方、バイアス開口１２００がその下方に配置され、かつバネ１２１０又は他のバイアスデバイスを内部に受容するように寸法決めされている。マイクロスイッチ又は他のいずれかの機械式スイッチなどのスイッチ１３００が、ピボット表面１１７０と受容開口１２００の間に置かれている。スイッチ１３００は、以下に説明する様々な機能を実施するための必要なハードウエア及びソフトウエアを含むコントローラ１３５０に連結される。スイッチ１３００及びコントローラ１３５０は、基部プレート１１２０の内部表面１１５０に取り付けられる回路基板１４００上に搭載される。数値表示装置等の表示装置を備え得るインジケータ１４１０もまた、コントローラ１３５０に連結され、かつ回路基板１４００に搭載される。１つの態様では、インジケータ１０４０は、発光ダイオード（ＬＥＤ）表示装置、液晶（ＬＣＤ）表示装置又は他のいずれかの適切な指示装置もしくは表示装置を備え得る。コントローラ１３５０は、基部プレート１１２０によって担持される、交換式バッテリなどの、電源１４１２によって電力供給される。
【００２６】
アクセスプレート１１３０は、図１１〜１３に示すように、内部表面及び外部表面１４２０及び１４２１を含み、これによって、内部表面１４２０は、貫通するように配置されるピボット開口１４４２を有する凹状保持ピボット表面１４４０を含む。保持ピボット表面１４４０は、基部プレート１１２０及びアクセスプレート１１３０が一緒に取り付けられると、基部ピボット表面１１７０と隣接し、かつ軸方向に一直線上になるように位置決めされる。具体的には、基部ピボット表面１１７０及び保持ピボット表面１４４０は、図１４に示すように、実質的に球形の保持空洞１４９０を一緒になって形成する凹状表面を備える。アクセスプレート１１３０の外部表面１４２１は、分注容器１０４０の頸部１０５０を圧縮保持するように構成された、間に保持開口１０３０を形成する一対の保持アーム１４９２を含む。アクセスプレート１１３０はまた、順守モニター１０００の操作者がインジケータ１４１０の状況を容易に見ることを可能とするために、インジケータ１４１０と実質的に一直線上になるように構成される窓１４９６を含む。
【００２７】
順守モニター１０００はまた、保持空洞１４９０によって枢動可能に担持される起動アーム１５００を含む。一般に、起動アーム１５００は、延長区分１５２０がそれから実質的に直角に延長する支持区分１５１０と、延長区分１５２０から実質的に直角に延長する係合区分１５３０とを含む。具体的には、起動アーム１５００は、延長区分１５２０が支持区分１５１０の端部１５３２から実質的に直角に延長し、かつ端部１５３４で終端するように構成される。端部１５３６で終端する係合区分１５３０が、延長区分１５２０の端部１５３４から実質的に直角に延長する。具体的には、支持区分１５１０は端部１５３１及び１５３２を含み、これによって、バネ１２１０を係合するように寸法決めされたバイアス部材１５３３が、端部１５３１に配置される。保持空洞１９０の内部に枢動可能に受容されるように寸法決めされた実質的に球形の部材１６００が、バイアス部材１５３３と端部１５３２との間に配置される。球形部材１６００の表面は、実質的に球形の保持空洞１４９０の表面と接触する球形部材１６００の表面積の合計値を減少させるために、１つ以上の窪み領域を含み得ることを理解すべきである。従って、起動アーム１５００は、起動筐体１１００内に配置され、これで、延長区分１５２０は、アクセスプレート１１３０のピボット開口１４２２を実質的に直角に貫通して延長し、一方、係合区分１５３０は、そこから、筐体１１００に対して実質的に並行になるように延長する。特に、延長区分１５２０は、ピボット１６１０によって支持区分１５１０に対して枢動可能に結合され、これで、それを備えている係合区分１５３０が枢動又は回転することが可能となっている。図９に明瞭に示すピボット１６１０は、端部１５３２から延長し、かつ支持区分１５１０によって提供されるピボット開口１６１４内に枢動可能に受容される円筒形ピボット区分１６１２を備える。ピボット区分１６１２及び／又はピボット開口１６１４は、支持区分１５１０を延長区分１５２０に対して枢動的に保持するためのタブ又は他の適切な手段を含むことを理解すべきである。加えて、バイアス部材１５３３は、湾曲した係合表面１６２０と、後方表面１６２４の下方に配置される保持タブ１６２２とを含む。湾曲係合表面１６２０は、モニター１０００の動作中に起動アーム１５００が枢動すると、スイッチ１３００に係合するように寸法決めされる。加えて、保持タブ１６２２は、モニター１０００の動作中に、起動アーム１５００が枢動すると、バネ１２１０が圧縮され、解放される際に、このバネの一方の端部を保持する働きをする。
【００２８】
従って、順守モニター１００が使用されると、図１５に示すように、起動アーム１５００がピボット１６１０から解放位置にまで回転され、これで、分注容器１０４０を、保持基部１０１０の受容開口１０２０に容易に挿入することが可能となり、一方、分注容器１０４０の頸部１０５０が、保持開口１０３０内に受容されて、保持アーム１４９２によって圧縮的に保持されるようになる。一旦分注容器１０４０が保持基部１０１０中に挿入されると、起動アーム１５００の係合区分１５３０が、それが、図１６に示すように、分注ノズル１０７０の下方に位置するように、ピボット１６１０を介して回転する。具体的には、係合区分１５３０は、係合区分１５３０から延長する保持タブ１６４０及び１６４２がノズル１０７０の各々の側部上に配置されるように配置されて、ノズル１０７０をそれらの間に捕獲又は保持するように働く。一旦係合区分１５３０が適切な位置に置かれると、分注容器１０４０が使用され、すると、ポンプ１０６０は押圧される結果、材料がノズル１０７０から分注されるだけではなく、支持区分１５１０のバイアス部材１５３３が枢動し、これで、湾曲係合表面１６２０がスイッチ１３００と係合して、図１７に示すように、分注事象が完了したことを示す。コントローラ１３５０は、スイッチ１３００の起動を記録し、また、順守モニター１０００の操作者に対してインジケータ１４１０を介して視覚的に提示される、所与の分注容器１０４０に対して発生したポンプ１０６０の起動の合計回数を特定するカウント値を発生する。
【００２９】
また、衛生順守モニター２０、７００及び１０００は、対応するコントローラ５２０及び１３５０に連結され、かつ遠隔計算デバイスと通信して、この遠隔計算デバイスがコントローラ５２０及び１３５０から記憶されているカウント値データを獲得することを可能とするように構成された有線又は無線のコンピュータネットワークインターフェースなどのデータインターフェースを含み得ることが意図される。
【００３０】
従って、本発明の１つ以上の実施形態の１つの利点は、衛生順守モニターを、例えば石鹸、清浄薬又は保湿剤の容器などの欠失可能又は詰め替え可能な分注容器に対して取り外し可能に取り付けることが可能であることが理解されるであろう。本発明の別の利点は、分注容器用の衛生順守モニターが、道具を用いることなく、分注器に対して迅速にかつ容易に取り付けることが可能であることである。本発明の更に別の利点は、分注容器用の衛生順守モニターが、低コストで製造可能であることである。本発明の更に別の利点は、衛生順守モニターが、様々な形状と寸法の分注器に対して取り付け可能であるように構成されていることである。本発明の更に別の利点は、衛生順守モニターは、分注ノズルから材料を分注するためにユーザによって起動されると、ポンプノズルの運動を検出するように構成される枢動起動アームを利用することである。
【００３１】
従って、本発明の目的は、上記の構造及びその使用法によって満たされたことが理解され得るであろう。特許法に従って、最良のモード及び好ましい実施形態のみを提示して、詳細に説明したが、本発明はそれらに、また、それらによって制限されないことが理解される。
【図１】
2014534833.tif 000003
【図２】
2014534833.tif 000004
【図３】
2014534833.tif 000005
【図４Ａ】
2014534833.tif 000006
【図４Ｂ】
2014534833.tif 000007
【図４Ｃ】
2014534833.tif 000008
【図５】
2014534833.tif 000009
【図６Ａ】
2014534833.tif 000010
【図６Ｂ】
2014534833.tif 000011
【図６Ｃ】
2014534833.tif 000012
【図７】
2014534833.tif 000013
【図８】
2014534833.tif 000014
【図９】
2014534833.tif 000015
【図１０】
2014534833.tif 000016
【図１１】
2014534833.tif 000017
【図１２】
2014534833.tif 000018
【図１３】
2014534833.tif 000019
【図１４】
2014534833.tif 000020
【図１５】
2014534833.tif 000021
【図１６】
2014534833.tif 000022
【図１７】
2014534833.tif 000023
【国際調査報告】
2014534833.tif 000024
2014534833.tif 000025
2014534833.tif 000026